(57)【要約】【課題】ロータに装着自在なツマミを具備するロータリースイッチにおいて、ロータからツマミを外れ難くするとともに、たとえツマミが脱着した状態でもロータを回転操作できるようにする。【解決手段】ロータ３が端面に形成された周溝３１と、周溝３１より内側の中心部３９１にツマミ１の脱着時に工具の差し込みが可能な工具溝３２とを有する。ツマミ１が、周溝３１に対応する突条１２を有し、突条１２より内側の内凹部１４と中心部３９１とを嵌合させ且つ突条１２より外側の外凹部１１と周溝３１より外側の縁部３９２とを嵌合させることにより、装着される。ロータ３は、脱着時において、工具溝３２に差し込まれる工具の回転操作により回転可能である。【選択図】図１
2018055764.tif 000002
【特許請求の範囲】
【請求項１】
ロータの端部に着脱自在なツマミを備え、装着された前記ツマミを回転操作することにより、電路の切り換えが可能なロータリースイッチであって、
前記ロータが、該ロータの端面に形成された周溝と、該周溝より内側の中心部に形成され、前記ツマミの脱着時に工具の差し込みが可能な工具溝とを有し、
前記ツマミが、前記周溝に対応する位置に形成された突条を有し、前記突条より内側の内凹部と前記中心部とを嵌合させ且つ前記突条より外側の外凹部と前記周溝より外側の縁部とを嵌合させることにより、前記端部に装着され、
前記ロータが、前記脱着時において、前記工具溝に差し込まれた前記工具の回転操作により、回転可能であることを特徴とするロータリースイッチ。
【請求項２】
前記工具溝が前記縁部に亘って形成されていることを特徴とする請求項１に記載のロータリースイッチ。
【請求項３】
前記ツマミが、前記装着時に、前記工具溝に嵌合する突起を有することを特徴とする請求項２に記載のロータリースイッチ。
【請求項４】
前記ロータが、前記縁部に外方へ延びる係止片を有し、
前記ツマミが、前記係止片を内方へ傾倒させながら前記端部に装着され、前記係止片と前記外凹部に擦りながら前記端部から脱着されることを特徴とする請求項３に記載のロータリースイッチ。
【請求項５】
前記ツマミが吸湿性を有する樹脂材料からなることを特徴とする請求項１〜４のいずれか１項に記載のロータリースイッチ。
【請求項６】
前記周溝および前記突条が略環状であり、前記工具溝および前記突起が略線状であることを特徴とする請求項１〜５のいずれか１項に記載のロータリースイッチ。
【発明の詳細な説明】
【技術分野】
【０００１】
本発明は、ロータを回転させることにより、電路を切り換えるロータリースイッチに関する。より詳しくは、ロータに装着自在なツマミが具備するロータリースイッチに関する。
【背景技術】
【０００２】
従来から、民生機器や産業機器等には、ロータリースイッチが広く利用されている。従来のロータリースイッチは、特許文献１に提案されているように、ロータの端部にツマミを装着し、装着されたツマミを回転操作することにより、複数の接触端子から構成される電流の経路（電路）を切り換えることができる。
【先行技術文献】
【特許文献】
【０００３】
【特許文献１】特許２８９９６３９号公報
【発明の概要】
【発明が解決しようとする課題】
【０００４】
しかしながら、従来のロータリースイッチは、ロータからツマミが外れ易く、ツマミを紛失してしまう虞がある。また、ツマミが脱着した状態では、ユーザがロータを回転し難いという問題もある。
【０００５】
本発明の目的は、上記事情に鑑み、装着されたツマミをロータから外れ難くするとともに、ツマミが脱着した状態であってもロータを回転操作できるロータリースイッチを提供することである。
【課題を解決するための手段】
【０００６】
本発明のスイッチは、ロータの端部に着脱自在なツマミを備え、その端部に装着されたツマミを回転することにより、電路の切り換えが可能なロータリースイッチであって、ロータが、このロータの端面に形成された周溝と、この周溝より内側の中心部に形成され、ツマミの脱着時に工具の差し込みが可能な工具溝とを有し、ツマミが、周溝に対応する位置に形成された突条を有し、この突条より内側の内凹部と中心部とを嵌合させ且つ突条より外側の外凹部と周溝より外側の縁部とを嵌合させることにより、端部に装着され、ロータが、脱着時において、工具溝に差し込まれた工具の回転操作により、回転可能であることを特徴とする。
【０００７】
ここで、本発明のスイッチにおいて、上記「対応する位置」とは、装着時において、互いに嵌合可能な位置関係にあることを意味する。
【０００８】
また、本発明のスイッチにおいて、工具溝は縁部に亘って形成されていてもよい。また、本発明のスイッチにおいて、ツマミは、装着時に工具溝に嵌合する突起を有してもよい。
【０００９】
また、本発明のスイッチにおいて、ロータが、縁部に外方へ延びる係止片を有してもよく、ツマミは、係止片を内方へ傾倒させながら端部に装着され、係止片を外凹部に擦りながら端部から脱着してもよい。
【００１０】
また、本発明のスイッチにおいて、ツマミは吸湿性を有する樹脂材料であってもよい。また、本発明のスイッチにおいて、周溝および突条は略環状であってもよく、工具溝および突起が略線状であってもよい。
【００１１】
ここで、上記「略環状」とは、完全な環に限定されるものではなく、環の一部を欠いていている円弧状であっても略環を形成すると視認できればよい。
【発明の効果】
【００１２】
本発明のスイッチにおいて、ツマミは、ツマミの内凹部とロータの中心部とを嵌合させ且つツマミの外凹部とロータの縁部とを嵌合させる二重の嵌合構造により、ロータに装着されるため、嵌合力が強固となりツマミをロータから抜け難くできる。また、ツマミが脱着された状態であっても、工具溝に工具を差し込んで回転させることにより、ロータを容易に回転させることもできる。
【００１３】
また、本発明のスイッチは、工具溝が縁部に亘って形成されている場合、ツマミの脱着時に工具が差し込み易くロータをより回転し易くできる。
【００１４】
また、本発明のスイッチは、ロータが縁部に外方へ延びる係止片を有しており、ツマミが、係止片を内方へ傾倒させながら端部に装着され、係止片を外凹部に擦りながら端部から脱着される場合、ツマミを端部に挿入し易くするとともに、ツマミを端部から抜け難くすることもできる。
【図面の簡単な説明】
【００１５】
【図１】ロータリースイッチの外観を示す斜視図
【図２】ロータリースイッチの構造を示す分解斜視図
【図３】ロータリースイッチの電路の切換構造を示す部分拡大図
【図４】ツマミとロータとの嵌合構造を示す部分拡大図
【図５】ツマミとロータとの嵌合状態を示す部分断面図
【図６】ロータの変形例を示す部分断面図
【図７】ツマミの変形例を示す斜視図
【発明を実施するための形態】
【００１６】
本発明の実施形態について図面を用いて詳細に説明する。図１は本発明の一実施形態であるロータリースイッチ１０の斜視図を示す。
【００１７】
ロータリースイッチ１０は、図１に示すように、ツマミ１とスイッチ本体２とから構成されている。ツマミ１はスイッチ本体２と装着自在になっている。図１の左図がツマミ１をスイッチ本体２に装着した状態、図２の右図がツマミ１をスイッチ本体２から脱着した状態をそれぞれ示している。
【００１８】
図２はロータリースイッチ１０の構造を示す分解斜視図である。スイッチ本体２は、図２に示すように、略円柱状のロータ３、ロータ３を挿通させる挿通孔４１を有するマウント４、ロータ３の底面に載置される可動円板８、ロータ３および可動円板８を収容するハウジング５、ハウジング５に保持される複数の接触端子６、スイッチ本体２を不図示の基板に取り付けるシェル７から構成されている。ツマミ１はロータ３に装着される。
【００１９】
ロータ３は径方向に貫通する貫通孔３３を有している。また、ロータ３は、貫通孔３３に収容されるコイルばね３４、コイルばね３４の両端に載置されるスチールボール３５を備えている。スチールボール３５は、コイルばね３４により、外方へ付勢されている。
【００２０】
スチールボール３５は、ハウジング５に収容されたとき、コイルばね３４の付勢力によりハウジング５の内壁を押圧する。また、ロータ３には、略中央部にＯリング３７を取り付けるＯリング溝３６が形成されている。Ｏリング３７は挿通孔４１とロータ３との隙間からの水分、油分、塵、埃等の侵入を防止する。
【００２１】
ロータ３の底面には、可動円板８の位置決めに用いる一対の位置決め突起３８が形成されている。位置決め突起３８は、可動円板８に形成された一対の位置決め孔８１に挿入される。また、可動円板８はハウジング５の方向へ延びる可動接片８２を有している。また、可動円板８の中心はロータ３の回転軸上に位置する。
【００２２】
マウント４はハウジング５との取付面４２にパッキン４３を備えている。パッキン４３はマウント４とハウジング５との隙間からの水分、油分、塵、埃等の侵入を防止する。
【００２３】
ハウジング５はロータ３および可動円板８を収容する収容部５１を有している。また、ハウジング５は複数の接触端子６を保持している。シェル７は不図示の基板に挿入されるキンク７１、ロータ３およびマウント４の一部が挿通する開口７２を有している。また、シェル７はハウジング５の底面と係合する下係合突起７３およびハウジング５の側面と係合する上係合突起７４を有している。
【００２４】
図３はロータリースイッチ１０の電路の切換構造を示す図である。ハウジング５は、収容部５１の底面に接触端子６が露出した状態で接触端子６を保持する。複数の接触端子６のうち、１つの接触端子６が環状の端部を有する共通端子（接地）である。この環状の端部の中心は可動円板８の回転軸上にある。
【００２５】
可動円板８は可動接片８２を２つ有している。一方の可動接片８２の回転半径は他方の可動接片８２の回転半径より小さくなっている。回転半径が小さい方の可動接片８２は常に環状の端部に接触している。一方、回転半径の大きい方の可動接片８２は全ての接触端子６に順次接触する。これにより、ロータ３が回転することで接触端子６を流れる電流の経路、すなわち電路を切り換えることができる。
【００２６】
また、収容部５１は傾斜面５２より形成される内壁を有している。スチールボール３５（図２参照）が傾斜面５２間の窪みに収容されることにより、ロータ３および可動円板８の回転位置が保持される。また、スチールボール３５が傾斜面５２を乗り越える際に、ユーザへ操作感を与える。
【００２７】
図４はロータリースイッチ１０の嵌合構造を示す図である。図４の左図はロータ３の嵌合部分の部分拡大図、図４の右図はツマミ１の嵌合部分の部分拡大図をそれぞれ示している。
【００２８】
ロータ３は、図４の左図に示すように、ツマミ１側の端面に略環状の周溝３１が形成されている。そして、周溝３１より内側となる中心部３９１には、ツマミ１が脱着した状態において工具の挿入が可能な線状の工具溝３２が形成されている。工具は専用冶具に限定されず、ドライバー等の公知な工具であってよい。また、工具溝３２は、工具を差し込み易くするため、周溝３１の外側となる縁部３９２に亘って形成されてもよい。
【００２９】
ツマミ１は、図４の右図に示すように、略円状の突条１２が形成されており、突条１２の外側に外凹部１１と突条１２の内側に内凹部１４をそれぞれ有している。そして、外凹部１１には線状の外突起１３１、内凹部１４には内突起１３２がそれぞれ形成されている。外突起１３１と内突起１３２とは同一直線状にある。
【００３０】
図５はツマミ１とロータ３との嵌合状態を示す部分拡大図である。図５に示すように、ロータ３の中心部３９１とツマミ１の内凹部１４とが嵌合し且つロータ３の縁部３９２とツマミ１の外凹部１１とがそれぞれ嵌合することにより、ツマミ１がロータ３に装着される。また、外突起１３１および内突起１３２は工具溝３２とそれぞれ嵌合し、キー溝およびキーとして機能し、ツマミ１のロータ３に対する位置決めを行う。
【００３１】
ツマミ１の材質は特に限定されるものではないが、例えばＰＡ（ポリアミド）等の吸湿性を有する樹脂材料であることが望ましい。ツマミ１が吸湿性を有することにより、ツマミ１が乾燥した場合に外凹部１１および内凹部１４がそれぞれ収縮し、図中の矢印Ａ方向に示す嵌合力が強くなる。一方、ツマミ１が吸湿した場合、外凹部１１および内凹部１４がそれぞれ膨張し、図中の矢印Ｂ方向に示す嵌合力が強くなる。このように、ツマミ１に吸湿性の樹脂材料を用いることにより、環境によらず嵌合力を強固にできる。
【００３２】
図６はロータ３の変形例を示す図である。図６において、ロータ３の縁部３９２には、外方へ延びる係止片３９３が形成されている。本変形例において、ロータ３が係止片３９３を備えること以外に変更はない。したがって、同一の部位には同一の符号を付してその説明を省略する。
【００３３】
ツマミ１を装着する際、係止片３９３が外凹部１１を擦りながら内方に傾倒し、ツマミ１を脱着する際、係止片３９３が外凹部１１を擦りながら外方に傾倒する。これにより、ツマミ１はロータ３に装着し易く、脱着され難くできる。ツマミ１は、図７に示すように、鍔部１５を有してもよい。図７に示すツマミ１は鍔部１５を有する以外の変更はない。
【００３４】
以上に説明した通り、本実施形態によれば、内凹部１４と中心部３９１とが嵌合し且つ外凹部１１と縁部３９２とが嵌合する２重嵌合により、嵌合力が強固となりツマミ１を抜け難くできる。さらに、ツマミ１の脱着時であっても、工具溝３２に工具を差し込むことにより、ロータ３を回転操作できる。
【００３５】
また、本実施形態によれば、工具溝３２は、中心部３９１と縁部３９２とに亘り連続して形成されているため、工具が差し込みやすく、ロータ３の回転操作をより容易にできる。
【００３６】
また、本実施形態によれば、ツマミ１が工具溝３２と嵌合する外突起１３１および内突起１３２を備えることにより、ツマミ１のロータ３に対する位置決めをできるとともに、嵌合力をさらに強固にしてツマミ１をより抜け難くできる。
【００３７】
なお、本発明は、以上に説明した実施形態に限定されるものではなく、本発明の趣旨を逸脱しない限り適宜変更することができる。
【符号の説明】
【００３８】
１                ツマミ
２                スイッチ本体
３                ロータ
６                接触端子
１０              ロータリースイッチ
１１              外凹部
１２              突条
１４              内凹部
３１              周溝
３２              工具溝
３９１            中心部
３９２            縁部
３９３            係止片
【図１】
2018055764.tif 000003
【図２】
2018055764.tif 000004
【図３】
2018055764.tif 000005
【図４】
2018055764.tif 000006
【図５】
2018055764.tif 000007
【図６】
2018055764.tif 000008
【図７】
2018055764.tif 000009